(57)【要約】【解決手段】上部フレーム１と、底部２と、上部フレーム１にその上端部が枢支されたはね上げ側壁３と、上部分割側壁４’と下部分割側壁４”とを有する分割側壁とからなる折り畳みコンテナーの組み付け方法において、ヒンジ連結された重合状態の上部分割側壁４’と下部分割側壁４”の上方に、上部フレーム１を配置するとともに、前記上部分割側壁４’と下部分割側壁４”の下方に、底部２を配置した後、上部フレーム１を下動させることにより、下部分割側壁４”と底部２及び上部分割側壁４’と上部フレーム１とをヒンジ連結するようにしたものである。【効果】底部への下部分割側壁の組み付け及び上部フレームへの上部分割側壁の組み付け時間を、短縮することができ、ひいては、折り畳みコンテナーを構成する上部フレーム、底部、はね上げ側壁、上部分割側壁及び下部分割側壁の組み付け時間を、短縮することができる。【選択図】図１６
2006206060.tif 000002
【特許請求の範囲】
【請求項１】
上部フレームと、底部と、上部フレームにその上端部が枢支されたはね上げ側壁と、上部分割側壁と下部分割側壁とを有する分割側壁とからなる折り畳みコンテナーの組み付け方法において、ヒンジ連結された重合状態の上部分割側壁と下部分割側壁の上方に、上部フレームを配置するとともに、前記ヒンジ連結された重合状態の上部分割側壁と下部分割側壁の下方に、底部を配置し、その後、前記上部フレームを下動させることにより、下部分割側壁と底部及び上部分割側壁と上部フレームとをヒンジ連結するように構成したことを特徴とする折り畳みコンテナーの組み付け方法。
【請求項２】
上部フレームと、底部と、上部フレームにその上端部が枢支されたはね上げ側壁と、上部分割側壁と下部分割側壁とを有する分割側壁とからなる折り畳みコンテナーの組み付け方法において、底部の上に、ヒンジ連結された重合状態の上部分割側壁と下部分割側壁とを配置し、更に、前記ヒンジ連結された重合状態の上部分割側壁と下部分割側壁の上に、はね上げ側壁を配置し、更にまた、前記はね上げ側壁の上に、上部フレームを配置し、その後、前記上部フレームを下動させることにより、上部フレームと上部分割側壁、上部フレームとはね上げ側壁及び下部分割側壁と底部とをヒンジ連結するように構成したことを特徴とする折り畳みコンテナーの組み付け方法。
【発明の詳細な説明】
【技術分野】
【０００１】
本発明は、種々の物品の保管、輸送或いは搬送等に使用される折り畳みコンテナーの組み付け方法に関するものである。
【背景技術】
【０００２】
従来、額縁状の上部フレームと、底部と、上部フレームにその上端部がヒンジ連結された、折り畳みコンテナーの内側方向に回動可能な側壁（以下、この側壁を、はね上げ側壁という。）と、上下に分割されているとともに、適当なヒンジ部を介して連結された上部分割側壁と下部分割側壁とから構成されており、且つ、上部分割側壁の上端部が、上部フレームにヒンジ連結され、また、下部分割側壁の下端部が、底部にヒンジ連結されている折り畳みコンテナーが知られている。
【０００３】
上述した折り畳みコンテナーは、箱型に組み立てられた状態から、先ず最初に、略垂直状態のはね上げ側壁を、折り畳みコンテナーの内側方向に回動させ、次いで、上部フレームを、底部に接近させるとともに、上部分割側壁と下部分割側壁とを重ねることにより、上部フレームが底部に重ねられた状態に折り畳むことができるように構成されている。また、折り畳まれた状態から、上部フレームを持ち上げて、上部分割側壁と下部分割側壁とを略面一で略垂直状態にするとともに、はね上げ側壁を略垂直状態にすることにより、箱型に組み立てることができるように構成されている。
【０００４】
上述した従来の折り畳みコンテナーにおいては、上部フレームと上部分割側壁とをヒンジ連結する際には、上部分割側壁のヒンジ部を、下方から、上部フレームのヒンジ部に当接させて、上部分割側壁のヒンジ部と上部フレームのヒンジ部を連結することにより、上部フレームに、上部分割側壁を組み付け、また、底部と下部分割側壁のヒンジ連結する際には、下部分割側壁を、底部に対して略平行に配置し、次いで、下部分割側壁のヒンジ部を、上方から、底部のヒンジ部に当接させて、下部分割側壁のヒンジ部と底部のヒンジ部を連結することにより、底部に、下部分割側壁を組み付けていた。この上部フレームと上部分割側壁のヒンジ連結作業及び底部と下部分割側壁のヒンジ連結作業に、前後して、上部分割側壁と下部分割側壁とを互いにヒンジ連結することにより、折り畳みコンテナーの上部フレームと上部分割側壁及び下部分割側壁と底部とを組み付けていた。このような折り畳みコンテナーの組み付け方法は、一例として、特許文献１に開示されている。
【０００５】
【特許文献１】特開平１１−１４７５２３号公報
【発明の開示】
【発明が解決しようとする課題】
【０００６】
上述した従来の折り畳みコンテナーにおいては、上部フレームと上部分割側壁とのヒンジ連結作業と、下部分割側壁と底部とのヒンジ連結作業とを、別工程で行わなければならず、折り畳みコンテナーの組み付けに時間を要するという問題があった。
【０００７】
また、上部分割側壁のヒンジ部と上部フレームのヒンジ部及び下部分割側壁のヒンジ部と底部のヒンジ部は、ヒンジ連結されたヒンジ部同士が外れないように、大きな力で連結するようなヒンジ部構造となっているために、組み付けに時間が係るとともに、熟練を要するという問題があった。
【０００８】
更に、上述したように、上部分割側壁のヒンジ部を、下方から、上部フレームのヒンジ部に連結させて、上部分割側壁のヒンジ部と上部フレームのヒンジ部を連結した場合には、物品が収容された箱型状態の折り畳みコンテナーを、上部フレームを持って、持ち上げた際や運搬中に、上部フレームのヒンジ部と上部分割側壁とヒンジ部が外れるという問題があった。
【０００９】
本発明の目的は、上述した従来の折り畳みコンテナーの組み付け方法が有する課題を解決することにある。
【課題を解決するための手段】
【００１０】
本発明は、上述した目的を達成するために、上部フレームと、底部と、上部フレームにその上端部が枢支されたはね上げ側壁と、上部分割側壁と下部分割側壁とを有する分割側壁とからなる折り畳みコンテナーの組み付け方法において、ヒンジ連結された重合状態の上部分割側壁と下部分割側壁の上に、上部フレームを配置するとともに、ヒンジ連結された重合状態の上部分割側壁と下部分割側壁の下に、底部を配置した後、上部フレームを下動させることにより、下部分割側壁と底部及び上部分割側壁と上部フレームとをヒンジ連結するように構成したものである。
【００１１】
また、本発明は、上述した目的を達成するために、上部フレームと、底部と、上部フレームにその上端部が枢支されたはね上げ側壁と、上部分割側壁と下部分割側壁とを有する分割側壁とからなる折り畳みコンテナーの組み付け方法において、底部の上に、ヒンジ連結された重合状態の上部分割側壁と下部分割側壁とを配置し、更に、ヒンジ連結された重合状態の上部分割側壁と下部分割側壁の上に、はね上げ側壁を配置し、更にまた、はね上げ側壁の上に、上部フレームを配置し、その後、上部フレームを下動させることにより、上部フレームと上部分割側壁、上部フレームとはね上げ側壁及び下部分割側壁と底部とを、同時に、ヒンジ連結するように構成したものである。
【発明の効果】
【００１２】
ヒンジ連結された重合状態の上部分割側壁と下部分割側壁の上方に、上部フレームを配置するとともに、ヒンジ連結された重合状態の上部分割側壁と下部分割側壁の下方に、底部を配置した後、上部フレームを下動させることにより、下部分割側壁と底部及び上部分割側壁と上部フレームとをヒンジ連結するように構成したので、底部への下部分割側壁の組み付け及び上部フレームへの上部分割側壁の組み付け時間を、短縮することができ、ひいては、折り畳みコンテナーを構成する上部フレーム、底部、はね上げ側壁、上部分割側壁及び下部分割側壁の組み付け時間を、短縮することができる。
【００１３】
底部の上に、ヒンジ連結された重合状態の上部分割側壁と下部分割側壁とを配置し、更に、ヒンジ連結された重合状態の上部分割側壁と下部分割側壁の上に、はね上げ側壁を配置し、更にまた、はね上げ側壁の上に、上部フレームを配置し、その後、上部フレームを下動させることにより、上部フレームと上部分割側壁、上部フレームとはね上げ側壁及び下部分割側壁と底部とを、同時に、ヒンジ連結するように構成したので、折り畳みコンテナーの組み付け時間を、更に短縮することができる。
【実施例】
【００１４】
以下に、本発明の実施例について説明するが、本発明の趣旨を越えない限り何ら、本実施例に限定されるものではない。
【００１５】
折り畳みコンテナーは、上部フレーム１と、底部２と、上部フレーム１の相対する短辺枠１ａに、その上端部がヒンジ連結されたはね上げ側壁３と、上部フレーム１の相対する長辺枠１ｂに、その上端部がヒンジ連結された上部分割側壁４’と、底部２の相対する長辺部２ａに、その下端部がヒンジ連結された下部分割側壁４”とを有しており、また、上部分割側壁４’の下端部と下部分割側壁４”の上端部とがヒンジ連結されている。
【００１６】
図１に示されている箱型状態の折り畳みコンテナーの略垂直状のはね上げ側壁３を、折り畳みコンテナーの内部方向に回動させて略水平状態とし、次いで、上部分割側壁４’と下部分割側壁４”のヒンジ連結部を、折り畳みコンテナーの内部方向に移動させて、上部分割側壁４’と下部分割側壁４”とを重ねることにより、箱型状態の折り畳みコンテナーを、図２に示されているように、上部フレーム１が底部２に重ねられた状態の高さの低いコンパクトな状態に折り畳むことができるように構成されている。また、底部２に対して上部フレーム１を持ち上げて、略水平状態に重ねられている上部分割側壁４’と下部分割側壁４”とを、互いに略面一になるように略垂直に立て、次いで、上部フレーム１に、その上端部がヒンジ連結されているはね上げ側壁３を、略水平状態から垂直方向に回動させることにより、折り畳まれた状態の折り畳みコンテナーを、箱型に組み立てるように構成されている。
【００１７】
次に、図３〜図５を用いて、上部フレーム１に形成されているヒンジ部材について説明する。
【００１８】
額縁状の上部フレーム１の短辺枠１ａは、水平部１ａ１と、水平部１ａ１の内側縁部から、水平部１ａ１に対して略垂直に垂下された内壁部１ａ２と、水平部１ａ１の外側縁部から、水平部１ａ１に対して略垂直に垂下された外壁部１ａ３とから形成されており、且つ、内壁部１ａ２の水平部１ａ１からの高さは、外壁部１ａ３の水平部１ａ１からの高さより低く形成されている。
【００１９】
同様に、上部フレーム１の長辺枠１ｂは、水平部１ｂ１と、水平部１ｂ１の内側縁部から、水平部１ｂ１に対して略垂直に垂下された内壁部１ｂ２と、水平部１ｂ１の外側縁部から、水平部１ｂ１に対して略垂直に垂下された外壁部１ｂ３とから形成されており、且つ、内壁部１ｂ２の水平部１ｂ１からの高さは、外壁部１ｂ３の水平部１ｂ１からの高さより低く形成されている。
【００２０】
また、上部フレーム１の短辺枠１ａを構成する外壁部１ａ３と長辺枠１ｂを構成する外壁部１ｂ３とは、同じ高さに形成されているとともに、上部フレーム１の短辺枠１ａを構成する内壁部１ａ２の高さは、長辺枠１ｂを構成する内壁部１ｂ２の高さより低く形成されている。本実施例においては、短辺枠１ａを構成する内壁部１ａ２の高さが、長辺枠１ｂを構成する内壁部１ｂ２の高さの略半分に形成されている。
【００２１】
短辺枠１ａを構成する外壁部１ａ３の内面１ａ３’の両端部付近で、且つ、長辺枠１ｂを構成する内壁部１ｂ２の下端より下方に位置する領域には、短辺枠１ａを構成する外壁部１ａ３の内面１ａ３’に対して略垂直な片持ちヒンジピンｈ１が取着されている。
【００２２】
長辺枠１ｂには、長辺枠１ｂの長手方向に沿って、所定の間隔を置いて、ヒンジピン取付け部材５が形成されている。ヒンジピン取付け部材５は、長辺枠１ｂの長手方向に対して垂直で、且つ、内壁部１ｂ２を越えて外壁部１ｂ３の下端付近まで延在する区画壁５ａを有しており、内壁部１ｂ２の下端より下方に位置する区画壁５ａの領域には、区画壁５ａに対して略垂直な片持ちヒンジピンｈ１が取着されている。５ｂは、内壁部１ｂ２の下端と外壁部１ｂ３の中程とを連結するとともに、区画壁５ａの側面に連結された架橋水平リブであり、５ｃは、外壁部１ｂ３の下端から、外壁部１ｂ３に対して略垂直に突設された規制リブである。本実施例においては、長辺枠１ｂの長手方向の中心を挟んで、２個のヒンジピン取付け部材５が形成されている例が示されているとともに、片持ちヒンジピンｈ１は、相対する区画壁５ａの反対側の側面に取着されている例が示されている。
【００２３】
長辺枠１ｂには、長辺枠１ｂの長手方向に沿って、所定の間隔を置いて、ヒンジフック係合部材６が形成されている。ヒンジフック係合部材６は、長辺枠１ｂの長手方向に対して垂直で、且つ、内壁部１ｂ２を越えて外壁部１ｂ３の下端付近まで延在する区画壁６ａを有しており、また、内壁部１ｂ２の下端には、内壁部１ｂ２を下方に延在することにより形成されているとともに、その一側端が、区画壁６ａに連接された支持板６ｂが形成されている。また、外壁部１ｂ３と対向する支持板６ｂの内面の下部には、区画壁６ａに垂直で、且つ、一端が区画壁６ａに連接されたフック係合棒状部６ｃが形成されている。６ｄは、内壁部１ｂ２の下端と外壁部１ｂ３の中程とを連結するとともに、区画壁６ａの側面に連結された架橋水平リブであり、６ｅは、区画壁６ａの下端部と外壁部１ｂ３とにより形成される隅部に形成された、フック係合棒状部６ｃと略平行な規制リブである。本実施例においては、上述した一対のヒンジピン取付け部材５間に、２個のヒンジフック係合部材６と、ヒンジピン取付け部材５と長辺枠１ｂの両端部との間に、それぞれ１個のヒンジフック係合部材６の合計４個のヒンジフック係合部材６が形成されている例が示されているとともに、一対のヒンジピン取付け部材５間に形成されたヒンジフック係合部材６は、フック係合棒状部６ｃの端面が、反対側に位置するように配置されており、また、ヒンジピン取付け部材５と長辺枠１ｂの両端部との間に形成されたヒンジフック係合部材６は、フック係合棒状部６ｃの端面同士が対面するように配置されている例が示されている。
【００２４】
短辺枠１ａには、短辺枠１ａの長手方向に沿って、所定の間隔を置いて、はね上げ側壁用雌ヒンジ部材７が形成されている。はね上げ側壁用雌ヒンジ部材７は、内壁部１ａ２を越えて外壁部１ａ３の中程まで延在する区画壁７ａを有しており、区画壁７ａの側面の下端部には、上面に凹部が形成された半円筒状のフック部７ｂが取着されている。本実施例には、４個のはね上げ側壁用雌ヒンジ部材７が形成されている例が示されている。
【００２５】
次に、図６〜図８を用いて、上部分割側壁４’の上端部に形成されているヒンジ部材について説明する。
【００２６】
上部分割側壁４’は、横長の長方形状の板状部４ａを有しており、板状部４ａの上端には、板状部４ａに略垂直な帯状の上端リブ４ｂが形成されている。また、上端リブ４ｂには、側面形状（上部分割側壁４’の側端部４ｄ側から見た形状）が、略逆Ｊ字状の上端壁部４ｃが形成されており、上端壁部４ｃの垂直部４ｃ１の内面（箱型状の折り畳みコンテナーの内部側に位置する面）と板状部４ａの内面（箱型状の折り畳みコンテナーの内部に位置する面）４ａ１とは、略面一に形成されている。更に、略逆Ｊ字状の上端壁部４ｃには、上端壁部４ｃを削除することにより、適当数の間隙４ｃ２が形成されている。本実施例には、６個の間隙４ｃ２が形成されている例が示されている。
【００２７】
上端リブ４ｂの長さ方向の両端部には、板状部４ａの外面（箱型状の折り畳みコンテナーの外部に位置する面）４ａ２側に位置する上端リブ４ｂの縁部付近の上面に立設された、側面形状（上部分割側壁４’の側端面４ｄ側から見た形状）が、略逆Ｊ字状のフック部８ａと、フック部８ａの先端と対向するように、上端リブ４ｂに突設された突条８ｂとからなるヒンジピン嵌入部材８が形成されている。ヒンジピン嵌入部材８は、板状部４ａの内面４ａ１側及び上部分割側壁４’の側端面４ｄ側が開放されており、且つ、フック部８ａの先端と突条８ｂの上端との間に形成された間隙は、上述した片持ちヒンジピンｈ１の直径より狭い間隙に形成されている。また、略逆Ｊ字状のフック部８ａの上部は、上述した略逆Ｊ字状の上端壁部４ｃの上部に連結されているとともに、互いに略面一になるように構成されており、更に、上端壁部４ｃのヒンジピン嵌入部材８側の開口部には、開口部を塞ぐような補強壁４ｃ３が形成されている。なお、８ｃは、略逆Ｊ字状のフック部８ａの略中央部に穿設された、突条８ｂを成形するための金型が挿入された透孔である。
【００２８】
また、上端壁部４ｃに形成されている適当数の間隙４ｃ２にも、上述した略逆Ｊ字状のフック部８ａと、フック部８ａの先端と対向するように、上端リブ４ｂに突設された突条８ｂとからなるヒンジピン嵌入部材８が形成されており、略逆Ｊ字状のフック部８ａの上部は、間隙４ｃ３の何方か一方に位置する上端壁部４ｃの上部に連結されているとともに、互いに略面一になるように構成されており、更に、もう一方の上端壁部４ｃとヒンジピン嵌入部材８との間には、スリットＳ１が形成されている。なお、ヒンジピン嵌入部材８が形成された間隙４ｃ２を挟んで位置する、上端リブ４ｂの相対する開口部にも、開口部を塞ぐような補強壁４ｃ３が形成されている。
【００２９】
上述した、上端リブ４ｂの両端部に形成されているヒンジピン嵌入部材８を、以下、端部側ヒンジピン嵌入部材と称し、また、上端壁部４ｃを削除することにより形成されたて適当数の間隙４ｃ２に形成されたヒンジピン嵌入部材８を、以下、中間ヒンジピン嵌入部材と称する。本実施例においては、所定の間隔を置いて、２個の中間ヒンジピン嵌入部材８が形成されている例が示されている。
【００３０】
上端壁部４ｃに形成されている間隙４ｃ２のうちで、上述した中間ヒンジピン嵌入部材８が形成されていない間隙４ｃ２には、上述したヒンジピン嵌入部材８を構成する略逆Ｊ字状のフック部８ａと同一形状の側面形状（上部分割側壁４’の側端部４ｄ側から見た形状）が、略逆Ｊ字状のフック部９ａからなる雌ヒンジフック部材９が形成されている。この略逆Ｊ字状のフック部９ａの上部も、間隙４ｃ２の何方か一方に位置する上端壁部４ｃの上部に連結されているとともに、互いに略面一になるように構成されており、更に、もう一方の上端壁部４ｃと雌ヒンジフック部材９との間にも、スリットＳ１が形成されているとともに、雌ヒンジフック部材９が形成された間隙４ｃ２を挟んで位置する、上端リブ４ｂの相対する開口部にも、開口部を塞ぐような補強壁４ｃ３が形成されている。本実施例におては、一対の中間ヒンジピン嵌入部材８間に位置する、上端リブ４ｂの間隙４ｃ２に、２個の雌ヒンジフック部材９が形成されているとともに、端部側ヒンジピン嵌入部材８と中間ヒンジピン嵌入部材８との間に位置する間隙４ｃ２に、それぞれ、１個の雌ヒンジフック部材９が形成されている例が示されている。即ち、本実施例におては、合計４個の雌ヒンジフック部材９が形成されている。
【００３１】
上部分割側壁４’の板状部４ａの外面４ａ２の下端部には、板状部４ａの下端に沿って、互いに対向するとともに外面４ａ２に垂直な一対の支持板１０ａと、支持板１０ａを架橋するように形成された架橋ヒンジピン１０ｂとからなる雄ヒンジ部材１０Ａが適当な間隔を置いて形成されている。また、板状部４ａの外面４ａ２の下端部の両端には、支持板１０ａに相対するように、端部支持板１０ｃが形成されており、端部支持板１０ｃの雄ヒンジ部材１０Ａ側に位置する面には、該面に略垂直に片持ちヒンジピン１０ｄが突設されている。この端部支持板１０ｃと片持ちヒンジピン１０ｄとにより、端部雄ヒンジ部材１０Ｂが形成されている。
【００３２】
次に、図９〜図１１を用いて、下部分割側壁４”の下端部に形成されているヒンジ部材について説明する。
【００３３】
下部分割側壁４”も、上述した上部分割側壁４’と略同じ大きさの横長の長方形状の板状部４ｅを有しており、板状部４ｅの下端には、板状部４ｅに略垂直な帯状の下端リブ４ｆが形成されている。下端リブ４ｆの裏面には、下端リブ４ｆの裏面に略垂直な一対の支持板１１ａと、支持板１１ａを架橋するように形成された架橋ヒンジピン１１ｂとからなる雄ヒンジ部材１１が、適当数、形成されている。なお、支持板１１ａの下端部は、円弧状に形成されている。本実施例には、下端リブ４ｆの裏面の両端部付近に、それぞれ、１個ずつ雄ヒンジ部材１１が形成されているとともに、下端リブ４ｆの裏面の中程に、所定の間隔を置いて、２個の雄ヒンジ部材１１が形成されている例が示されている。即ち、下端リブ４ｆの裏面には、合計４個の雄ヒンジ部材１１が形成されている。なお、以下においては、下端リブ４ｆの裏面の両端部付近に形成された雄ヒンジ部材１１を、端部雄ヒンジ部材と称し、また、下端リブ４ｆの裏面の中程に形成された雄ヒンジ部材１１を、中間部雄ヒンジ部材と称する。
【００３４】
また、下端リブ４ｆの裏面には、上述した支持板１１ａと同一の支持板１２ａが垂設されており、支持板１２ａの一方の側面には、板状部４ｅの外面（箱型状の折り畳みコンテナーの外部に位置する面）４ｅ１側に位置する下端リブ４ｆの縁部から、支持板１２ａの周辺に沿って、円弧状の下端部まで形成された、側面形状（下部分割側壁４”の側端部４ｇ側から見た形状）が、略逆Ｊ字状のフック部１２ｂが形成されている。この支持板１２ａと略逆Ｊ字状のフック部１２ｂとにより、雌ヒンジフック部材１２が形成されている。このような構成を有する雌ヒンジフック部材１２は、下端リブ４ｆの裏面に、所定の間隔を置いて、複数個、形成されている。本実施例においては、上述した端部雄ヒンジ部材１１付近に、それぞれ、１個ずつ、雌ヒンジフック部材１２が形成されているとともに、一対の中間部雄ヒンジ部材１１の間に、２個の雌ヒンジフック部材１２が形成されている例が示されている。即ち、本実施例におては、合計４個の雌ヒンジフック部材１２が形成されている。なお、以下においては、端部雄ヒンジ部材１１付近に形成された雌ヒンジフック部材１２を、端部寄り雌ヒンジフック部材１２と称し、また、対の中間部雄ヒンジ部材１１の間に形成された雌ヒンジフック部材１２を、中間部雌ヒンジフック部材と称する。
【００３５】
また、本実施例においては、一対の中間部雌ヒンジフック部材１２のフック部１２ｂが、支持板１２ａの下部分割側壁４”の側端部４ｇ側に位置する側面に形成されており、また、端部寄り雌ヒンジフック部材１２のフック部１２ｂが、支持板１２ａの中間部雌ヒンジフック部材１２側に位置する側面に形成されている。
【００３６】
一対の中間部雌ヒンジフック部材１２の支持板１２ａ同士は、側面形状（下部分割側壁４”の側端部４ｇ側から見た形状）が、略逆Ｊ字状のフック部１２ｂと同一の略逆Ｊ字状の樋状連結部材１３で連結されている。また、端部寄り雌ヒンジフック部材１２の支持板１２ａと端部雄ヒンジ部材１１の端部寄り雌ヒンジフック部材１２側の支持板１１ａとも、上記の樋状連結部材１３と同様の略逆Ｊ字状の樋状連結部材１４で連結されている。
【００３７】
また、下端リブ４ｆの裏面には、端部寄り雌ヒンジフック部材１２と所定の間隙４ｈを置いて、支持板１２ａと同一形状で、且つ、支持板１２ａに対して略平行に垂下リブ１５が垂設されている。そして、垂下リブ１５と、該垂下リブ１５と相対する中間部雄ヒンジ部材１１の支持板１１ａとは、上述した樋状連結部材１３と同様の略逆Ｊ字状の樋状連結部材１６で連結されている。
【００３８】
下部分割側壁４”の板状部４ｅの外面４ｅ１の上端部には、所定の間隔を置いて、板状部４ｅの上端部まで達するスリット１７が形成されており、スリット１７間には、上述した上部分割側壁４’の板状部４ａの外面４ａ２の下端部に形成された雄ヒンジ部材１０Ａに対応して、雄ヒンジ部材１０Ａと同じ数の雌ヒンジ部材１８Ａが形成されている。この雌ヒンジ部材１８Ａは、側面形状（下部分割側壁４”の側端部４ｇ側から見た形状）が、略Ｃ字状のブロック状本体１８ａを有しており、このようにブロック状本体１８ａの側面形状を、略Ｃ字状に形成することにより、ブロック状本体１８ａには、ヒンジピン嵌合凹部１８ｂが形成されている。また、板状部４ｅの外面４ｅ１の上端部の両端にも、上記の雌ヒンジ部材１８Ａと同様に、側面形状が、略Ｃ字状のブロック状本体１８ａとヒンジピン嵌合凹部１８ｂとを有する端部雌ヒンジ部材１８Ｂが形成されている。なお、１９は、スリット１７付近及び端部雌ヒンジ部材１８Ｂ付近に位置する板状部４ａの外面４ａ２に形成された、円筒部１９ａと円錐部１９ｂとからなる補強部材であり、このような補強部材１９は、適宜、省略することができる。
【００３９】
上部分割側壁４’の板状部４ａの外面４ａ２の下端部に形成された雄ヒンジ部材１０Ａの架橋ヒンジピン１０ｂを、下部分割側壁４”の板状部４ｅの外面４ｅ１の上端部に形成された雌ヒンジ部材１８Ａのヒンジピン嵌合凹部１８ｂに嵌入するとともに、上部分割側壁４’の板状部４ａの外面４ａ２の下端部に形成された端部雄ヒンジ部材１０Ｂの片持ちヒンジピン１０ｄを、下部分割側壁４”の板状部４ｅの外面４ｅ１の上端部に形成された端部雌ヒンジ部材１８Ｂのヒンジピン嵌合凹部１８ｂに嵌入することにより、図１２に示されているように、上部分割側壁４’の下端部と下部分割側壁４”の上端部とがヒンジ連結されるように構成されている。
【００４０】
次に、図１３及び図１４を用いて、底部２に形成されているヒンジ部材について説明する。
【００４１】
底部２は、底板２ａと、底板２ａの長辺部に立設された長辺側壁部２ｂ１と短辺部に立設された短辺側壁部２ｂ２とからなる周壁２ｂとを有している。長辺側壁部２ｂ１の中程には、略水平な段差部２０が形成されている。
【００４２】
上述した長辺側壁部２ｂ１の段差部２０には、雌ヒンジ部材２１が形成されており、この雌ヒンジ部材２１は、側面形状（底部２の短辺側壁部２ｂ２側から見た形状）が、略Ｕ字状で、長辺側壁部２ｂ１と段差部２０により構成される隅部に形成されたブロック状本体２１ａを有しており、このようにブロック状本体２１ａの側面形状を、略Ｕ字状に形成することにより、ブロック状本体２１ａには、ブロック状本体２１ａの相対する側面２１ａ１側及びブロック状本体２１ａの上面２１ａ２側が開口されたヒンジピン嵌合凹部２１ｂが形成されている。本実施例には、上述した下部分割側壁４”の下端部に形成された雄ヒンジ部材１１（２個の端部雄ヒンジ部材及び２個の中間部雄ヒンジ部材）に対応して、同じ数の雌ヒンジ部材２１が形成されている。なお、以下においては、段差部２０の両端部付近に形成された雌ヒンジ部材２１を、端部寄り雌ヒンジ部材と称し、また、端部寄り雌ヒンジ部材間に形成された雌ヒンジ部材を、中間部雌ヒンジ部材と称する。
【００４３】
また、上述した長辺側壁部２ｂ１の段差部２０には、ヒンジフック係合部材２２が形成されており、ヒンジフック係合部材２２は、長辺側壁部２ｂ１と段差部２０により構成される隅部に形成された略角柱状のブロック状本体２２ａと、ブロック状本体２２ａの相対する側面２２ａ１のうち一方の側面２２ａ１で、且つ、長辺側壁部２ｂ１と段差部２０により構成される隅部と対角位置に位置する角部に、側面２２ａ１に対して垂直に形成されたフック係合棒状部２２ｂとから構成されている。本実施例には、上述した下部分割側壁４”の下端部に形成された雌ヒンジフック部材１２（２個の端部寄り雌ヒンジフック部材１２及び２個の中間部雌ヒンジフック部材１２）に対応して、同じ数のヒンジフック係合部材２２が形成されている。なお、以下においては、段差部２０の両端部付近に形成されたヒンジフック係合部材２２を、端部寄りヒンジフック係合部材と称し、また、端部寄りヒンジフック係合部材間に形成されたヒンジフック係合部材を、中間部ヒンジフック係合部材と称する。
【００４４】
なお、２３は、底部２を構成する短辺側壁部２ｂ２の内面の中程に、短辺側壁部２ｂ２に対して略垂直に形成された嵌合突片であり、嵌合突片２３は、図２３に示されている、はね上げ側壁３の下端部の略中央に穿設された嵌合透孔３ａに嵌合されるように構成されている。
【００４５】
次に、上部フレーム１、底部２、はね上げ側壁３、及び、図１２に示されているように、上部分割側壁４’の下端部に形成された雄ヒンジ部材１０Ａと端部雄ヒンジ部材１０Ｂ及び下部分割側壁４”の上端部に形成された雌ヒンジ部材１８Ａと端部雌ヒンジ部材１８Ｂとを介して、予めヒンジ連結されている上部分割側壁４’と下部分割側壁４”を、互いにヒンジ連結させて、折り畳みコンテナーを組み付ける折り畳みコンテナーの組み付け方法について説明する。
【００４６】
図１５及び図１６に示されているように、上部分割側壁４’の下端部に形成された雄ヒンジ部材１０Ａと端部雄ヒンジ部材１０Ｂ及び下部分割側壁４”の上端部に形成された雌ヒンジ部材１８Ａと端部雌ヒンジ部材１８Ｂを介して、ヒンジ連結されている上部分割側壁４’と下部分割側壁４”とを、上部分割側壁４’の板状部４ａの外面４ａ２と下部分割側壁４”の板状部４ｅの外面４ｅ１とが、互いに、当接或いは接近するように、上部分割側壁４’と下部分割側壁４”とを重合状態に配置する。
【００４７】
また、重合状態の上部分割側壁４’と下部分割側壁４”を、下部分割側壁４”の下端部に形成された端部雄ヒンジ部材１１が、底部２の長辺側壁部２ｂ１の段差部２０に形成された端部寄り雌ヒンジ部材２１の上方に位置するとともに、下部分割側壁４”の下端部に形成された中間部雄ヒンジ部材１１が、底部２の長辺側壁部２ｂ１の段差部２０に形成された中間部雌ヒンジ部材２１の上方に位置するように、重合状態で、且つ、略水平状態の上部分割側壁４’と下部分割側壁４”を、底部２の上に配置する。
【００４８】
上述したように、底部２の上に、重合状態で、且つ、略水平状態の上部分割側壁４’と下部分割側壁４”が配置された際には、下部分割側壁４”の下端部に形成された端部雄ヒンジ部材１１の架橋ヒンジピン１１ｂが、底部２の長辺側壁部２ｂ１に形成された端部寄り雌ヒンジ部材２１のヒンジピン嵌合凹部２１ｂの上方に位置するように、また、下部分割側壁４”の下端部に形成された中間部雄ヒンジ部材１１の架橋ヒンジピン１１ｂが、底部２の長辺側壁部２ｂ１に形成された中間部雌ヒンジ部材２１のヒンジピン嵌合凹部２１ｂの上方に位置するように、更に、下部分割側壁４”の下端部に形成された雌ヒンジフック部材１２のフック部１２ｂが、底部２のヒンジフック係合部材２２を構成するフック係合棒状部２２ｂと底部２の長辺側壁部２ｂ１との間に形成された間隙の上方に位置するように、底部２の上に、重合状態の上部分割側壁４’と下部分割側壁４”を配置する。
【００４９】
更に、上部分割側壁４’の上端部に形成されたヒンジピン嵌入部材８が、上部フレーム１の短辺枠１ａを構成する外壁部１ａ３の内面１ａ３’に形成された片持ちヒンジピンｈ１及びヒンジピン取付け部材５に形成された片持ちヒンジピンｈ１の下方に位置するように、また、上部分割側壁４’の上端部に形成された雌ヒンジフック部材９のフック部９ａが、上部フレーム１に形成されたヒンジフック係合部材６を構成するフック係合棒状部６ｃと規制リブ６ｅとの間に形成された間隙の下方に位置するように、上部分割側壁４’を、上部フレーム１の下方に配置する。
【００５０】
上述したように、上部フレーム１の下方に、重合状態の上部分割側壁４’と下部分割側壁４”が配置された際には、上部フレーム１の片持ちヒンジピンｈ１が、上部分割側壁４’の上端部に形成されたヒンジピン嵌入部材８の間隙の下方に位置し、また、上部フレーム１に形成されたヒンジフック係合部材６のフック係合棒状部６ｃと規制リブ６ｅとの間に形成された間隙の下方に、上部分割側壁４’の上端部に形成された雌ヒンジフック部材９のフック部９ａが位置するように、上部フレーム１の下方に、重合状態の上部分割側壁４’と下部分割側壁４”が配置される。
【００５１】
上述した重合状態の上部分割側壁４’と下部分割側壁４”の上に、上部フレーム１を配置し、重合状態の上部分割側壁４’と下部分割側壁４”の下方に、底部２を配置した後、上部フレーム１を下動させると、図１９に示されているように、下部分割側壁４”の下端部に形成された端部雄ヒンジ部材１１の架橋ヒンジピン１１ｂが、底部２の長辺側壁部２ｂ１に形成された端部寄り雌ヒンジ部材２１のヒンジピン嵌合凹部２１ｂに嵌入され、また、下部分割側壁４”の下端部に形成された中間部雄ヒンジ部材１１の架橋ヒンジピン１１ｂが、底部２の長辺側壁部２ｂ１に形成された中間部雌ヒンジ部材２１のヒンジピン嵌合凹部２１ｂに嵌入され、更に、図１７に示されているように、下部分割側壁４”の下端部に形成された雌ヒンジフック部材１２のフック部１２ｂが、底部２のヒンジフック係合部材２２を構成するフック係合棒状部２２ｂと底部２の長辺側壁部２ｂ１との間に形成された間隙に挿入されることになる。このようにして、下部分割側壁４”と底部２とが、ヒンジ連結されることになる。
【００５２】
同様に、上述した重合状態の上部分割側壁４’と下部分割側壁４”の上に、上部フレーム１を配置し、重合状態の上部分割側壁４’と下部分割側壁４”の下方に、底部２を配置した後、上部フレーム１を下動させると、図２０に示されているように、上部フレーム１の短辺枠１ａを構成する外壁部１ａ３の内面１ａ３’に形成された片持ちヒンジピンｈ１が、端部側ヒンジピン嵌入部材８の間隙に嵌入されるとともに、上部フレーム１に形成されたヒンジピン取付け部材５の片持ちヒンジピンｈ１が、中間ヒンジピン嵌入部材８の間隙に嵌入され、更に、図１８に示されているように、上部フレーム１に形成されたヒンジフック係合部材６のフック係合棒状部６ｃと規制リブ６ｅとの間に形成された間隙に、上部分割側壁４’の上端部に形成された雌ヒンジフック部材９のフック部９ａが挿入されることになる。このようにして、上部分割側壁４’と上部フレーム１とが、ヒンジ連結されることになる。
【００５３】
上述したように、上述した重合状態の上部分割側壁４’と下部分割側壁４”の上に、上部フレーム１を配置し、重合状態の上部分割側壁４’と下部分割側壁４”の下に、底部２を配置した後、上部フレーム１を下動させるだけで、同時に、下部分割側壁４”と底部２及び上部分割側壁４’と上部フレーム１とをヒンジ連結することができるので、折り畳みコンテナーの底部２と上部フレーム１への上部分割側壁４’と下部分割側壁４”の組み付けを、短時間に行うことができる。また、下部分割側壁４”の下端部に形成された雌ヒンジフック部材１２のフック部１２ｂは、底部２のヒンジフック係合部材２２を構成するフック係合棒状部２２ｂと底部２の長辺側壁部２ｂ１との間に形成された間隙に挿入されているだけであり、同様に、上部分割側壁４’の上端部に形成された雌ヒンジフック部材９のフック部９ａは、上部フレーム１に形成されたヒンジフック係合部材６のフック係合棒状部６ｃと規制リブ６ｅとの間に形成された間隙に挿入されているだけであるので、下部分割側壁４”と底部２及び上部分割側壁４’と上部フレーム１とのヒンジ連結に要する力が少なくて済む。
【００５４】
上述したように、下部分割側壁４”と底部２とがヒンジ連結され、また、上部分割側壁４’と上部フレーム１とがヒンジ連結された後、上部フレーム１を持ち上げると、上部分割側壁４’と下部分割側壁４”とが、略面一で略垂直状態となる。このように、上部分割側壁４’と下部分割側壁４”とが、略面一で略垂直状態となった状態においては、図２１に示されているように、下部分割側壁４”の下端部に形成された雌ヒンジフック部材１２のフック部１２ｂが、底部２のヒンジフック係合部材２２を構成するフック係合棒状部２２ｂの下方に入り込むとともに、図２２に示されているように、上部分割側壁４’の上端部に形成された雌ヒンジフック部材９のフック部９ａが、上部フレーム１に形成されたヒンジフック係合部材６のフック係合棒状部６ｃの上方に入り込むことになる。従って、上部フレーム１に上方への負荷が加わっても、下部分割側壁４”の下端部に形成された雌ヒンジフック部材１２のフック部１２ｂが、底部２のヒンジフック係合部材２２を構成するフック係合棒状部２２ｂに当接するとともに、上部分割側壁４’の上端部に形成された雌ヒンジフック部材９のフック部９ａが、上部フレーム１に形成されたヒンジフック係合部材６のフック係合棒状部６ｃに当接するので、上部フレーム１と上部分割側壁４’及び下部分割側壁４”と底部２とのヒンジ連結が解除されるようなことがない。
【００５５】
はね上げ側壁３の上端部には、適当数の凹部３ｂが形成されており、凹部３ｂを構成する相対する側壁３ｂ１のうち、一方の側壁３ｂ１には、該一方の側壁３ｂ１に垂直な片持ちヒンジピン３ｃが突設されている。片持ちヒンジピン３ｃは、上述した上部フレーム１の短辺枠１ａに形成されたはね上げ側壁用雌ヒンジ部材７に対応して形成されている。
【００５６】
上述したように、上部フレーム１と上部分割側壁４’及び下部分割側壁４”と底部２とをヒンジ連結した後、上部フレーム１を持ち上げることにより、上部分割側壁４’と下部分割側壁４”とを、略面一で略垂直状態とし、この状態において、はね上げ側壁３の上端部に形成された片持ちヒンジピン３ｃを、上部フレーム１の短辺枠１ａに形成されたはね上げ側壁用雌ヒンジ部材７の半円筒状のフック部７ｂに挿入することにより、上部フレーム１とはね上げ側壁３が、ヒンジ連結されるように構成されている。なお、上述したように、上部フレーム１と上部分割側壁４’及び下部分割側壁４”と底部２とをヒンジ連結する前に、予め、上部フレーム１とはね上げ側壁３とをヒンジ連結しておくこともできる。
【００５７】
上述したようにして、下部分割側壁４”と底部２とをヒンジ連結し、また、上部分割側壁４’と上部フレーム１とをヒンジ連結し、更に、上部フレーム１とはね上げ側壁３とをヒンジ連結することにより、折り畳みコンテナーが組み付けられることになる。
【００５８】
なお、上述した実施例には、上部フレーム１と上部分割側壁４’及び下部分割側壁４”と底部２とをヒンジ連結した後に、上部フレーム１とはね上げ側壁３とをヒンジ連結する例、及び、上部フレーム１と上部分割側壁４’及び下部分割側壁４”と底部２とをヒンジ連結する前に、予め、上部フレーム１とはね上げ側壁３とをヒンジ連結しておく例が示されているが、上部フレーム１の短辺枠１ａに形成されているはね上げ側壁用雌ヒンジ部材７に代えて、上部フレーム１の短辺枠１ａに、上部フレーム１の長辺枠１ｂに形成されているヒンジピン取付け部材５及びヒンジフック係合部材６を形成するとともに、はね上げ側壁３に形成されている片持ちヒンジピン３ｃに代えて、上部分割側壁４’に形成されているヒンジピン嵌入部材８及び雌ヒンジフック部材９を形成することにより、底部１の上に、重合状態で、且つ、略水平状態の上部分割側壁４’と下部分割側壁４”とを配置し、更に、重合状態の上部分割側壁４’と下部分割側壁４”の上に、略水平に、はね上げ側壁３を配置し、更に、略水平なはね上げ側壁３の上に、上部フレーム１を配置し、その後、上部フレーム１を下動させることにより、上部フレーム１と上部分割側壁４’、上部フレーム１とはね上げ側壁３及び下部分割側壁４”と底部２とを、同時に、ヒンジ連結することもできる。
【００５９】
上述したように構成することにより、上部フレーム１と上部分割側壁４’、上部フレーム１とはね上げ側壁３及び下部分割側壁４”と底部２とを、同時に、ヒンジ連結することができるので、折り畳みコンテナーの組み付け時間を、更に短縮することができる。
【図面の簡単な説明】
【００６０】
【図１】図１は、本発明の折り畳みコンテナーが箱型に組み立てられた状態の斜視図である。
【図２】図２は、本発明の折り畳みコンテナーが折り畳まれた状態の斜視図である。
【図３】図３は、本発明の折り畳みコンテナーを構成する上部フレームの斜視図である。
【図４】図４は、本発明の折り畳みコンテナーを構成する上部フレームの部分拡大斜視図である。
【図５】図５は、同じく、本発明の折り畳みコンテナーを構成する上部フレームの部分拡大斜視図である。
【図６】図６は、本発明の折り畳みコンテナーを構成する上部分割側壁の外面側からの斜視図である。
【図７】図７は、本発明の折り畳みコンテナーを構成する上部分割側壁の内面側からの斜視図である。
【図８】図８は、本発明の折り畳みコンテナーを構成する上部分割側壁の内面側からの部分拡大斜視図である。
【図９】図９は、本発明の折り畳みコンテナーを構成する下部分割側壁の外面側からの斜視図である。
【図１０】図１０は、本発明の折り畳みコンテナーを構成する下部分割側壁の内面側からの斜視図である。
【図１１】図１１は、本発明の折り畳みコンテナーを構成する下部分割側壁の内面側からの部分拡大斜視図である。
【図１２】図１２は、本発明の折り畳みコンテナーを構成する上部分割側壁と下部分割側壁とがヒンジ連結された状態の斜視図である。
【図１３】図１３は、本発明の折り畳みコンテナーを構成する底部の斜視図である。
【図１４】図１４は、本発明の折り畳みコンテナーを構成する底部の部分拡大斜視図である。
【図１５】図１５は、本発明の折り畳みコンテナーを構成する上部フレーム、重ねられた状態の上部分割側壁と下部分割側壁及び底部の組み付け前の斜視図である。
【図１６】図１６は、本発明の折り畳みコンテナーを構成する上部フレーム、重ねられた状態の上部分割側壁と下部分割側壁及び底部の組み付け前の部分拡大斜視図である。
【図１７】図１７は、本発明の折り畳みコンテナーを構成する上部フレーム、重ねられた状態の上部分割側壁と下部分割側壁及び底部の組み付けられた状態の一部垂直断面を含む部分拡大斜視図である。
【図１８】図１８は、同じく、本発明の折り畳みコンテナーを構成する上部フレーム、重ねられた状態の上部分割側壁と下部分割側壁及び底部の組み付けられた状態の一部垂直断面を含む部分拡大斜視図である。
【図１９】図１９は、同じく、本発明の折り畳みコンテナーを構成する上部フレーム、重ねられた状態の上部分割側壁と下部分割側壁及び底部の組み付けられた状態の一部垂直断面を含む部分拡大斜視図である。
【図２０】図２０は、同じく、本発明の折り畳みコンテナーを構成する上部フレーム、重ねられた状態の上部分割側壁と下部分割側壁及び底部の組み付けられた状態の一部垂直断面を含む部分拡大斜視図である。
【図２１】図２１は、箱型に組み立てられた状態の本発明の折り畳みコンテナーを構成する上部フレーム、上部分割側壁、下部分割側壁及び底部の一部垂直断面を含む部分拡大斜視図である。
【図２２】図２２は、同じく、箱型に組み立てられた状態の本発明の折り畳みコンテナーを構成する上部フレーム、上部分割側壁、下部分割側壁及び底部の一部垂直断面を含む部分拡大斜視図である。
【図２３】図２３は、本発明の折り畳みコンテナーを構成するはね上げ側壁の斜視図である。
【符号の説明】
【００６１】
１・・・・・・・・・・・上部フレーム
２・・・・・・・・・・・底部
３・・・・・・・・・・・はね上げ側壁
４’・・・・・・・・・・上部分割側壁
４”・・・・・・・・・・下部分割側壁
５・・・・・・・・・・・ヒンジピン取付け部材
６・・・・・・・・・・・ヒンジフック係合部材
７・・・・・・・・・・・はね上げ側壁用雌ヒンジ部材
８・・・・・・・・・・・ヒンジピン嵌入部材
９・・・・・・・・・・・雌ヒンジフック部材
１０Ａ、１０Ｂ・・・・・雄ヒンジ部材
１１・・・・・・・・・・雄ヒンジ部材
１２・・・・・・・・・・雌ヒンジフック部材
１８Ａ、１８Ｂ・・・・・雌ヒンジ部材
２１・・・・・・・・・・雌ヒンジ部材
２２・・・・・・・・・・ヒンジフック係合部材
【図１】
2006206060.tif 000003
【図２】
2006206060.tif 000004
【図３】
2006206060.tif 000005
【図４】
2006206060.tif 000006
【図５】
2006206060.tif 000007
【図６】
2006206060.tif 000008
【図７】
2006206060.tif 000009
【図８】
2006206060.tif 000010
【図９】
2006206060.tif 000011
【図１０】
2006206060.tif 000012
【図１１】
2006206060.tif 000013
【図１２】
2006206060.tif 000014
【図１３】
2006206060.tif 000015
【図１４】
2006206060.tif 000016
【図１５】
2006206060.tif 000017
【図１６】
2006206060.tif 000018
【図１７】
2006206060.tif 000019
【図１８】
2006206060.tif 000020
【図１９】
2006206060.tif 000021
【図２０】
2006206060.tif 000022
【図２１】
2006206060.tif 000023
【図２２】
2006206060.tif 000024
【図２３】
2006206060.tif 000025